(57)【要約】【課題】本体運転停止時に前記前面パネルを閉じ、表示部を覆い隠すようにする空気調和機において、酸素富化停止遅延運転の状態を視覚的に明瞭に判別にできるようにした空気調和機を提供する。【解決手段】本体運転停止指示を出したときに前記真空ポンプユニットがすぐ停止せず動作している場合、その間は前記前面パネルの閉じる動作は行わず、その間は前記運転モード別表示部にその停止遅延動作中であることを表示させ、前記真空ポンプユニットの動作が停止した後に前記前面パネルを閉じる動作をさせる。【選択図】図１ 
2005147615.tif 000002
【特許請求の範囲】
【請求項１】
真空ポンプユニットと、前記真空ポンプユニットにより酸素濃度の高い空気をチューブを通じて室内に送る酸素富化膜ユニットを備えた空気調和機において、室内ユニットの中央部には前記真空ポンプユニットの運転状態を表す光表示部を備え、前記室内ユニット前面部には本体運転時に開いて前記表示部が現れ、本体停止時は閉じて前記表示部を覆う可動式の前面パネルを備え、本体運転停止指示を出したときに前記真空ポンプユニットがただちに停止せず動作している場合、その間は前記前面パネルの閉じる動作は行わず、前記真空ポンプユニットの動作が停止した後に前記前面パネルを閉じる動作をすることを特徴とした空気調和機。
【請求項２】
真空ポンプユニットが本体運転停止指示を出したときにただちに停止せず動作している場合、その間は前記光表示部にその停止遅延動作中であることを表示することを特徴とした、請求項１記載の空気調和機。
【発明の詳細な説明】
【技術分野】
【０００１】
本発明は、運転状態の表示部を有する空気調和機に関するものである。
【背景技術】
【０００２】
従来の空気調和機の室内ユニットは、横長の筐体内部にエアーフィルタと熱交換器と貫流ファンを備え、筐体は後部を構成する樹脂成形された筐体本体及び前部を構成する樹脂成形された化粧枠を有し、この化粧枠は化粧枠本体及びこの化粧枠本体は上面に取り付けられた前面にグリル形状の吸込口を有する前面パネルを有し、前記化粧枠本体は上面にグリル形状の吸込口を有すると共に下面に吹出口を有する枠状に形成されている。
【０００３】
前記前面パネルもしくは前記化粧枠には運転状態表示をする操作器が設けられている。
【０００４】
表示部には複数の光源が配置されており、運転モード別表示を操作指示の状態を視覚的に明瞭に判別にできるようにしていた（例えば、特許文献１参照）。
【０００５】
また、吸込み口に開閉する前面パネルを備え、優れた意匠性を保ちつつ、不使用時における本体内への塵埃の侵入を阻止し、清浄化を保持しようとする室内ユニットが提供される傾向にある（例えば、特許文献２参照）。
【０００６】
また、付加機能として真空ポンプユニットと酸素富化膜ユニットとを備え、前記真空ポンプユニットの吸引力により前記酸素富化膜ユニットを透過した酸素濃度の高い空気を、チューブを通じて室内に送る（以下、酸素富化運転と称する）ことができる空気調和機が提供される傾向にある。
【０００７】
このような空気調和機においては、温湿度環境から酸素富化運転中に前記チューブ内に水分が溜まる場合、前記酸素富化運転停止時に、低温時チューブ内が凍結することを防止する為に、前記酸素富化運転の停止指示を出した時、前記真空ポンプユニットは即時に停止させず、前記チューブ内に高流量の絶対湿度の低い空気を送り前記チューブ内から残留水分を取り除き乾燥させる運転（以下、酸素富化停止遅延運転と称する）をし、酸素富化停止遅延運転終了後に前記真空ポンプユニットを停止させる必要がある。
【特許文献１】特開２００２−１３７９５号公報
【特許文献２】特開２００３−７４８９６号公報
【発明の開示】
【発明が解決しようとする課題】
【０００８】
しかしながら、前記従来の構成では、本体運転停止時は前記前面パネルを閉じ、前記運転モード別表示部を覆い隠すようにするので、酸素富化停止遅延運転をしている場合、その状態を前記運転モード別表示部に表示させても、視覚的に明瞭に判別にできないという課題を有していた。
【０００９】
本発明は、前記従来の課題を解決するもので、本体運転停止時に酸素富化停止遅延運転をする場合にも、その状態を視覚的に明瞭に判別にできるようにした空気調和機を提供することを目的とする。
【課題を解決するための手段】
【００１０】
前記従来の課題を解決するために、本発明の空気調和機は、本体運転停止指示を出したときに前記真空ポンプユニットがすぐ停止せず動作している場合、その間は前記前面パネ
ルの閉じる動作は行わず、前記真空ポンプユニットの動作が停止した後に前記フロントパネルを閉じる動作をさせることとしたものである。
【００１１】
これによって、酸素富化停止遅延運転をしている場合に前記前面パネルは開いた状態となり、前記運転モード別表示部を覆い隠してしまうことはなくなる。
【００１２】
また、本発明の空気調和機は、前記真空ポンプユニットが本体運転停止指示を出したときにすぐ停止せず動作している場合、その間は前記光表示部にその停止遅延動作中であることを表示させることとしたものである。
【００１３】
これによって、酸素富化停止遅延運転をしている場合に前記運転モード別表示部を覆い隠すことはない空気調和機において、酸素富化停止遅延運転中の状態を視覚的に明瞭に判別にできることとなる。
【発明の効果】
【００１４】
本発明の空気調和機は、本体運転停止時に酸素富化停止遅延運転をする場合にも、その状態を視覚的に明瞭に判別にできるようにすることができる。
【発明を実施するための最良の形態】
【００１５】
第１の発明は、真空ポンプユニットと酸素富化膜ユニットとを備え、前記真空ポンプユニットの吸引力により前記酸素富化膜ユニットを透過した酸素濃度の高い空気をチューブを通じて室内に送ることができ、前面など一箇所以上の吸込み口と下面など一箇所以上の吹出し口とを備えた筐体と、この筐体に収納される熱交換器と貫流送風機から風回路を構成する空気調和機の室内ユニットの中央部には、前記真空ポンプユニットの運転状態を表す光表示部を備え、前記室内ユニット前面部には本体運転時は開き、本体停止時は閉まる可動式の前面パネルを備え、前記前面パネルが閉じた状態の時には前記光表示部を被う状態となる空気調和機において、本体運転停止指示を出したときに前記真空ポンプユニットがすぐ停止せず動作している場合、その間は前記前面パネルの閉じる動作は行わず、前記真空ポンプユニットの動作が停止した後に前記前面パネルを閉じる動作をさせることとすることにより、酸素富化停止遅延運転をしている場合に前記前面パネルは開いた状態となり、前記光表示部を覆い隠してしまうことを防止することができる。
【００１６】
第２の発明は、特に、第１の発明の空気調和機を、前記真空ポンプユニットが本体運転停止指示を出したときにすぐ停止せず動作している場合、その間は前記光表示部にその停止遅延動作中であることを表示させることにより、前記光表示部を覆い隠すことなく酸素富化遅延運転中を表示することとなり、視覚的に明瞭に判別することができる。
【００１７】
以下、本発明の実施の形態について、図面を参照しながら説明する。なお、この実施の形態によって本発明が限定されるものではない。
【００１８】
（実施の形態）
図１及び２は、本発明の実施の形態における空気調和機の室内ユニットの前面パネル位置の状態の概略を示すものである。
【００１９】
図３は、本発明の実施の形態における空気調和機の動作のフローチャートを示すものである。
【００２０】
以上のように構成された空気調和機について、以下その動作、作用を説明する。
【００２１】
まず、室内ユニットは運転時、図１の状態になっている。
【００２２】
本体の運転停止指示が出るとすると（ステップ１）、本体は酸素富化運転をしているかどうかを判別する（ステップ２）。
【００２３】
酸素富化運転をしている旨を判別した場合、本体は酸素富化停止遅延運転をする必要があるかどうかを判別する（ステップ３）。
【００２４】
酸素富化停止遅延運転をする必要がある旨を判別した場合、本体は前面パネルを開いたままにし（図１の状態のまま）、かつ酸素富化停止遅延運転をし、かつ運転モード別表示部２に酸素富化停止遅延運転をしている旨を表示する（ステップ４）。
【００２５】
本体が酸素富化停止遅延運転を終了させるかどうかを判別し（ステップ５）、終了させる旨を判別した場合、本体は酸素富化停止遅延運転を停止し、運転モード別表示部の酸素富化停止遅延運転をしている旨の表示を停止し、前記前面パネルを閉じ（ステップ６）、図２の状態となる。
【００２６】
本体の運転停止指示が出た時、酸素富化運転していない場合や、酸素富化停止遅延運転の必要のない場合は即時に図２の状態（ステップ６）へ移行する。
【００２７】
以上のように、本実施の形態においては、真空ポンプユニットと酸素富化膜ユニットとを備え、前記真空ポンプユニットの吸引力により前記酸素富化膜ユニットを透過した酸素濃度の高い空気をチューブを通じて室内に送ることができ、前面など一箇所以上の吸込み口と下面など一箇所以上の吹出し口とを備えた筐体と、この筐体に収納される熱交換器と貫流送風機から風回路を構成する空気調和機の室内ユニットの中央部には、前記真空ポンプユニットの運転状態を表す光表示部を備え、前記室内ユニット前面部には本体運転時は開き、本体停止時は閉まる可動式の前面パネルを備え、前記前面パネルが閉じた状態の時には前記光表示部を被う状態となる空気調和機において、本体運転停止指示を出したときに前記真空ポンプユニットがすぐ停止せず動作している場合、その間は前記前面パネルの閉じる動作は行わず、前記真空ポンプユニットの動作が停止した後に前記前面パネルを閉じる動作をさせることとすることにより、酸素富化停止遅延運転をしている場合に前記前面パネルは開いた状態となり、前記光表示部を覆い隠してしまうことを防止することができる。
【００２８】
また、本実施の形態では、前記真空ポンプユニットが本体運転停止指示を出したときにすぐ停止せず動作している場合、その間は前記光表示部にその停止遅延動作中であることを表示させることにより、前記光表示部を覆い隠すことなく酸素富化遅延運転中を表示することとなり、視覚的に明瞭に判別することができる。
【産業上の利用可能性】
【００２９】
以上のように、本発明にかかる空気調和機は、吸込み口に開閉する前面パネルを備え、運転モード別表示部を備え、本体運転時は前記前面パネルを開き前記運転モード別表示部を視認できるようにし、本体運転停止時は前記前面パネルを閉じ、前記運転モード別表示部を覆い隠すようにした室内ユニットにおいて、本体運転停止時に酸素富化運転の停止遅延運転をし、その状態を運転モード別表示部に表示する場合に、その状態を視覚的に明瞭に判別にできるようにすることが可能となるので、酸素富化運転以外の運転動作をするユニットにおいても、本体停止時にその運転停止遅延動作をする必要があり、その動作を表示する必要がある場合等の用途にも適用できる。
【図面の簡単な説明】
【００３０】
【図１】本発明の実施の形態における空気調和機の運転時の状態を示す図
【図２】本発明の実施の形態における空気調和機の停止時の状態を示す図
【図３】本発明の実施の形態における空気調和機の動作を説明する為のフローチャート
【符号の説明】
【００３１】
１  前面パネル
２  運転モード別表示部
【図１】
2005147615.tif 000003
【図２】
2005147615.tif 000004
【図３】
2005147615.tif 000005